(57)【特許請求の範囲】
【請求項１】
浴室の床（２１）に掘ったピット（１）に浴槽（２）の一部を入れて前記床（２１）面に設置する浴槽（２）の側壁（８）の外面に、前記浴槽（２）の高さ方向の位置を調節する縦調整具（７）及び前記浴槽（２）の水平方向の位置を調節する横調節具（９）を設け、設置作業者は前記床（２１）面上において、前記縦調節具（７）のネジ部（７ａ）を床面に当て垂直方向に動かすことにより前記浴槽（２）の高さ方向の位置を調節し、更に、前記横調節具（９）のネジ部（９ａ）を前記ピット（１）内の縦壁面に当て水平方向に動かすことにより前記浴槽（２）の水平方向の位置を調節し、前記床（２１）面に前記浴槽（２）を固定設置することを特徴とする介助浴槽。
【発明の詳細な説明】
【０００１】
【発明の属する技術分野】
本発明は、軽度の介助を要する老人等の入浴に供する介助浴槽に関する。
【０００２】
【従来の技術】
従来技術には実開昭５１−１０８３９１号公報があり、該公報には、浴槽、踏盤、駆動機構、保護枠とからなる身体機能回復運動用浴槽装置が開示され、第２図には、浴槽の底壁に取着される脚が浴槽設置面に置かれている。
【０００３】
【発明が解決しようとする課題】
従来技術は、納入時に浴槽の高さ位置を調節する際、クレーン等で浴槽を吊り上げておいて或いは作業者がピットの中に入ってジャッキを用いて浴槽を浮かせておいて、脚を進退調節しなければならず、浴槽の高さ位置調節に多くの手数が掛かり、不都合であった。
【０００４】
本発明の目的は、上記不都合点を解決し、簡単に浴槽の位置調節ができる介助浴槽及びピットを提供することにある。
【０００５】
【課題を解決しようとする手段】
即ち本発明は、浴室の床（２１）に掘ったピット（１）に浴槽（２）の一部を入れて前記床（２１）面に設置する浴槽（２）の側壁（８）の外面に、前記浴槽（２）の高さ方向の位置を調節する縦調整具（７）及び前記浴槽（２）の水平方向の位置を調節する横調節具（９）を設け、設置作業者は前記床（２１）面上において、前記縦調節具（７）のネジ部（７ａ）を床面に当て垂直方向に動かすことにより前記浴槽（２）の高さ方向の位置を調節し、更に、前記横調節具（９）のネジ部（９ａ）を前記ピット（１）内の縦壁面に当て水平方向に動かすことにより前記浴槽（２）の水平方向の位置を調節し、前記床（２１）面に前記浴槽（２）を固定設置することを特徴とする介助浴槽である。
【０００６】
【発明の実施の形態】
本発明装置で入浴を行ない、浴槽２の側壁８外面に設けられた縦調節具７は、浴槽２の高さ位置を調節する。浴槽２の側壁８に、側壁８から所定距離をもって該側壁８に取着されたカバー１０は側壁８を覆うと共に、ピット１を塞ぐ。
【０００７】
床２１に掘ったピット１に浴槽２を設置し、浴槽２の側壁８に設けられた横調節具９は、浴槽２の水平方向位置を調節する。ピット１の縁に形成された突条１６は、床２１面を流れる水がピット１に落ち込むことを防ぐ。
【０００８】
昇降部材１３は浴槽２の内部で昇降する。昇降部材１３に軸支されるシート１４は、軸支部中心に水平位置から上方へ回動する。ピット１の底部面１ａに掘られた排水ピット１７は、ピット１の底部面１ａに入った水を集中させて流通する。
【０００９】
水栓３を有する水栓部４は、浴槽２に着脱可能であって湯水を浴槽２に供給する。昇降機構５を有する昇降機構部６は、浴槽２に着脱可能であって昇降部材１３を介してシート１４を昇降させる。浴槽２のみ、或いは、浴槽２に水栓部４及び／又は昇降機構部６を取着して、複数段階に順次バリエーションアップする。浴槽２内に有する移乗シート２２は、浴槽２の内壁又は適宜に設けられる縦支柱に、高さ可変に、係止する。
【００１０】
【実施例】
本発明の実施例は、床にはピット１が掘られ、該ピット１に浴槽２を収容し載置する。浴槽２の前側壁８ａの外面に、着脱可能な、水栓３を有する水栓部４が取着され、更に、浴槽２の後側壁８ｂの外面に、着脱可能な、昇降機構５を有する昇降機構部６が取着される。
【００１１】
前記浴槽２の側壁８の外面に、浴槽２の高さを調節する縦調節具７が固着される。又、側壁８に、浴槽２の水平方向への移動を阻止し、位置を調節したうえ固定する横調節具９が固着される。
【００１２】
又、側壁８には、該側壁８から所定距離をもって該側壁８を覆うカバー１０が取着される。カバー１０は、縦調節具７及び横調節具９を多い隠すと共に、浴槽２の外周に現れるピット１も覆い隠す。浴槽２の側壁８に、側壁８を覆うカバー１０が取着されているので、縦調節具７を覆い隠すと共に浴槽２とピット１の隙間も覆い隠すことができ、縦調節具７等に係る突起部を覆って安全性を高め、又、外面の美観を良くでき、更に、物品や人体四肢が前記隙間へ落ち込む事態を防いで安全性を高めることができ、好都合である。平板でなる左・右移乗エプロン１１ａ・１１ｂが、浴槽２の左・右側壁８ｃ・８ｄの上端から水平に外方へ向けて延設される。
【００１３】
前記水栓３は、浴槽２へ湯及び水を供給するものである。昇降機構部６には、昇降機構５の他に、回動手摺り１２が設けられる。昇降機構５は浴槽２の内部に昇降する昇降部材１３を有し、該昇降部材１３の下部にシート１４が軸１５で取り付けられ、該シート１４は軸１５を中心に水平位置から上方へ回動自在である。浴槽２の内部に設けられたシート１４は軸１５を中心に水平位置から上方へ回動自在であるから、下降するシート１４と浴槽２の底壁２ａとの間に、入浴者自身の手足や異物を挾んでも、シート１４が上方に回動し手足や異物を押し潰すことはない。従って、人体を危険な事態から回避でき安全性を高め、シート１４等の構成部材の破損を防止でき、好都合である。
【００１４】
実施例は、浴槽２だけの基本タイプ（図３参照）と、浴槽２に水栓部４を取着した水栓付タイプ（図４参照）と、浴槽２に水栓部４及び昇降機構部６を取着した昇降機付タイプ（図５参照）の三段階に順次バリエーションアップされる。従って、ユーザーの要求に合わせて選択的に構成を容易に変更でき対応性が良好である。又、装置の納入後に、異なる他のバリエーションに変更することも容易であり、ユーザーの要求に合わせて選択的に構成を変更でき、好都合である。又、浴槽２を共通部材とし水栓部４と昇降機構部６を加減することによってバリエーションチェンジが図れるので、量産する際、３機種を作る製造工程に比して、浴槽２を共通部材とする工程としたことにより製造コストを低減でき、好都合である。ピット１の縁は、上方へ突起した突条１６に形成される。床に掘ったピット１の縁は突条１６に形成されているので、床面を流れる湯水が突条１６で堰止められてピット１内に流入せず、ピット１内を湯水で浸さない。それ故に、ピット１内に湯水によるゲル状の付着物を発生させず、雑菌や黴を発生させず、清潔な状態に維持でき、好都合である。
【００１５】
ピット１の底部面１ａには排水を集中させる排水ピット１７が溝状に掘られ、二段ピット構造となる。従って、ピット１内に湯水が入って来てもその湯水を排水ピット１７に集中でき、ピット１の内の水濡れ部分を少なくして菌や黴の繁殖を押さえ、ピット１内を清潔にでき、好都合である。浴槽２の浴槽排水口１８に排水用のホース１９が接続され、該ホース１９は排水ピット１７内に設置され清掃排水口２０へ至る。
【００１６】
図３中に示す移乗シート２２は、浴槽２内に、高さ可変に係止されるものである。該移乗シート２２の後端面には係止具２６が取着され、該係止具２６を係止する係止受具２７が浴槽２に設けられる。係止受具２７には係止具２６が挿入係止される係止穴２８が高さ位置を異ならせて複数個設けられる。従って、入浴者の体格や障害の程度に対応した好適な高さに係止できる。従来の浴槽内椅子では高さ変更の際の脚の伸縮操作が面倒であったり、或いは、高さの異なる浴槽内椅子を複数個準備しなければならなかったりする不都合があった。本構成によれば、移乗シート２２を適宜な高さに容易に可変・係止でき、本人の入浴動作を容易にし、自身では入浴できなかった者も自力で入浴できるようになり、又、介助する場合にはその介助労力が軽減されて楽になり、好都合である。
【００１７】
図２中、２５は横移動用手摺り、図３中、２３は移動用取っ手、２４はシャワーである。
【００１８】
浴槽を浴室に設置する際、ピット１に浴槽２を入れ、縦調節具７のネジ部７ａを、床面に当て垂直方向に動かせて、浴槽２の高さを調節する。横調節具９のネジ部９ａを、ピット１の縦壁面に当て水平方向に動かせて、浴槽２の水平方向の位置を調節する。設置作業者は、縦調節具７及び横調節具９を床面上から調節し作業する。
【００１９】
浴槽２を好適位置に固定した後、浴槽２の左・右側壁８ｃ・８ｄにカバー１０を取り付け、縦調節具７を覆い隠すと共に、浴槽２の周辺のピット１の開口部を覆い隠す。ピット１を覆えば、ピット１の縦壁面と浴槽２の間に存在する横調節具９も同時に覆い隠すこととなる。
【００２０】
浴槽２へ水栓部４を取着しないものとした場合には、浴槽２の前側壁８ａに、水栓部の代わりにカバー１０を取着する。浴槽２へ昇降機構部６を取着しないものとした場合には、浴槽２の後側壁８ｂに、カバー１０を取着する。係止具２６を係止穴２８に挿入し、移乗シート２２を入浴者の体格や障害の程度に対応して、適宜高さに係止する。
【００２１】
昇降機付タイプを使用する際、水栓３から出る湯及び水を浴槽２に注ぎ、該浴槽２に入浴に適する温度の湯を満たす。可動手摺り１２を、入浴者が浴槽２に入る際に便利な方向へ回動し、その後固定しておき、入浴者は可動手摺り１２を掴んで浴槽２に入り、予め上昇位置にしているシート１４に座る。昇降機構部６を作動させてシート１４を下降させ、入浴者を湯に浸け、入浴を行なう。
【００２２】
シート１４を下降させている時、シート１４の下に異物があった場合、シート１４は異物に当って軸１５を中心に上方へ回動する。この時シート１４が回動するので、異物やシートの破損が回避できる。入浴により、湯が溢れ床に流れても、ピット１には突状１６があるので、湯は該突状１６で堰止められピット１に流入しない。
【００２３】
【発明の効果】
本発明は、浴槽２の側壁８の外部に縦調節具７が設けられたので、浴室へ納入し設置する時、作業者は床面上で浴槽２の高さを調節でき、作業者がピット１に入ってする作業に比して楽になった。又、ピット１の幅も浴槽２よりやや大きいものであればよいので、従来のピットより狭くてよく、ピット１工事も軽減でき、好都合である。調節の際、浴槽２をクレーンで吊って、ピット１から複数回出し入れするといった面倒なことをすること無く、１回のクレーン吊り入れ作業でよい。
【００２４】
又、浴槽２の下にジャッキを置き、該ジャッキで浴槽２を上げ下げするといった面倒な作業も不要となり、浴槽２の高さ調節に係る作業が簡単になり、好都合である。又、浴槽２は床面に支持されるので、ピット１の底部面の造成状況に左右されることなく浴槽２を好適に設置でき、好都合である。
【００２５】
又、本発明は、床に掘ったピット１に設置する浴槽２の側壁８に横調節具９が設けられたので、納入し設置する時、作業者は床面から浴槽２の水平方向の位置調節を実施でき、調節時に浴槽２をクレーンで吊り上げ下げしたりジャッキで上げ下げしたりする必要がなくなり、好都合である。又、設置後、横調節具９が浴槽２の横移動を阻止し、無用の移動が起きず浴槽２を確実に固定でき、好都合である。
【図面の簡単な説明】
【図１】本発明の実施例の縦断面図である。
【図２】本発明の実施例の横断面図である。
【図３】本発明の実施例の浴槽の斜視図である。
【図４】本発明の実施例の浴槽に水栓部を付加したバリエーションの斜視図である。
【図５】本発明の実施例の浴槽に水栓部及び昇降機構部を付加したバリエーションの斜視図である。
【図６】本発明の実施例の浴槽の部分的な斜視図である。
【符号の説明】
１    ピット
２    浴槽
７    縦調節具
７ａ  ネジ部
８    側壁
９    横調節具
９ａ  ネジ部
２１    床
【図１】
0003936026.tif 000002
【図２】
0003936026.tif 000003
【図３】
0003936026.tif 000004
【図４】
0003936026.tif 000005
【図５】
0003936026.tif 000006
【図６】
0003936026.tif 000007